(57)【要約】【課題】観察者が画像を見る位置が上下に移動しても、明るい画像が得られる画像表示装置を提供する。【解決手段】後方から照射された光を透過可能な液晶表示パネル８０４と、特定の偏光の光と、前記特定の偏光と直交する偏光の光とを、前記液晶表示パネルに照射する光源８０１と、前記液晶表示パネルと前記光源との間に配置され、前記特定の偏光の光を透過する第１領域と、前記特定の偏光の光と直交する偏光の光を透過する第２領域とが、縦方向に繰り返して設けられたフィルタ８０２、８０３と、前記液晶表示パネルの通電時又は非通電時に、前記液晶表示パネルを透過して出射される光を透過しない偏光特性を有する第１偏光板８０５と、を備え、前記第１偏光板の前面には、入射した光を縦方向に拡散する拡散手段８０６を備えた。【選択図】  図１
2004177923.tif 000002
【特許請求の範囲】
【請求項１】
後方から照射された光を透過可能な液晶表示パネルと、
特定の偏光の光と、前記特定の偏光と直交する偏光の光とを、前記液晶表示パネルに照射する光源と、
前記液晶表示パネルと前記光源との間に配置され、前記特定の偏光の光を透過する第１領域と、前記特定の偏光の光と直交する偏光の光を透過する第２領域とが、縦方向に繰り返して設けられたフィルタと、
前記液晶表示パネルの通電時又は非通電時に、前記液晶表示パネルを透過して出射される光を透過しない偏光特性を有する第１偏光板と、を備え、
前記第１偏光板の前面には、入射した光を縦方向に拡散する拡散手段を備えたことを特徴とする画像表示装置。
【請求項２】
前記フィルタの第１領域は、偏光軸の傾きを変えることなく光を透過させ、
前記第２領域は、偏光軸の傾きを９０度回転させて光を透過させる位相差板を備えることを特徴とする請求項１に記載の画像表示装置。
【請求項３】
前記フィルタは、第２偏光板及び前記光源と前記第２偏光板との間に位置する微細位相差板とから構成され、
前記第２偏光板は、前記第１偏光板に対して偏光軸が直交する偏光特性を有し、
前記第１領域又は前記第２領域の一方には、前記フィルタ部に照射された光が前記第２偏光板を透過するように偏光軸の傾きを回転させる位相差板が設けられていることを特徴とする請求項１又は２に記載の画像表示装置。
【請求項４】
前記拡散手段は、表面が半円状の凹凸が縦方向に繰り返し設けられているレンズ面からなる拡散板であることを特徴とする請求項１から３のいずれか一つに記載の画像表示装置。
【請求項５】
前記拡散手段は、表面が縦方向の方向拡散性を有する微細マット状拡散面からなる拡散板であることを特徴とする請求項１から４のいずれか一つに記載の画像表示装置。
【請求項６】
前記拡散手段は、２枚の前記拡散板によって構成されることを特徴とする請求項４又は５に記載の画像表示装置。
【請求項７】
前記拡散板は、片面がレンズ面であり、該レンズ面を内側に向けて設けられることを特徴とする請求項４から６のいずれか一つに記載の画像表示装置。
【請求項８】
前記拡散手段は、両面に拡散面を有する拡散板であることを特徴とする請求項４又は５に記載の画像表示装置。
【請求項９】
前記拡散板は、片面がレンズ面、他方が微細マット状拡散面からなることを特徴とする請求項８に記載の画像表示装置。
【請求項１０】
前記光源は、偏光が特定されない光を放射する発光素子と、前記発光素子が放射した光を偏光が揃った状態で出力する偏光手段と、を含んで構成されることを特徴とする請求項１から９のいずれか一つに記載の画像表示装置。
【請求項１１】
前記光源は、偏光が特定されない光を放射する発光素子と、前記発光素子が放射した光を偏光が揃った状態で出力する偏光手段と、異なる偏光の光を左右各々の目に到達する方向に屈折させて前記液晶表示パネルに照射する光学手段と、を含んで構成されることを特徴とする請求項１から９のいずれか一つに記載の画像表示装置。
【請求項１２】
複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を起生可能な遊技機において、
前記画像表示装置に、請求項１から１１のいずれか一つに記載の画像表示装置を用いたことを特徴とする遊技機。
【発明の詳細な説明】
【０００１】
【発明が属する技術分野】
本発明は画像表示装置に関し、特に、観察者が特別なメガネをかけることなく立体視することができる三次元画像表示装置及び画像表示装置を備えた遊技機に関する。
【０００２】
【従来の技術】
従来、三次元画像表示装置は、光源の前面左右に偏光方向が直交する右眼用偏光フィルタ部と左眼用偏光フィルタ部とを配置し、この各フィルタ部を通過した各光をフレネルレンズで平行光として液晶表示素子に照射し、この液晶表示素子の両面の偏光フィルタのそれぞれを、１水平ライン毎に互いに直交する直線偏光フィルタライン部を交互に配置し、且つ、光源側と観察側の対向する直線偏光フィルタライン部を直交する偏光方向とし、液晶表示素子の液晶パネルには２枚の偏光フィルタの透光ラインに合わせて１水平ライン毎に右眼用と左眼用の映像情報を交互に表示する構成であった。また、光源側の偏光フィルタを１水平ライン毎に互いに直交する直線偏光フィルタライン部を交互に配置し、観察側の偏光フィルタを光源側の偏光フィルタの一方の直線偏光フィルタライン部を有する直線偏光フィルタとし、液晶表示素子の液晶パネルには光源側の偏光フィルタの透光ラインに合わせて１水平ライン毎に右眼用と左眼用の映像情報を交互に表示する構成であった（例えば、特許文献１参照。）。
【０００３】
また、所定の入賞口に遊技球が入賞した場合に、パチンコ遊技盤のほぼ中央部に配されたドラムやディスプレイ上に数字や記号あるいは絵柄等を変動表示させ、同じ数字等が揃って停止した場合を大当たりとして、所定数の賞球を行うものがある。この変動表示等を行うディスプレイに表示される画像は、平面的な２次元画像であるが、さらに表示効果を高めるために、鋭い指向性を持つレンティキュラレンズを使って左右の眼に対応する画像情報を提供して、平面画像を立体画像として表示する遊技機が提案されている（例えば、特許文献２参照。）。
【０００４】
【特許文献１】
特開平１０−６３１９９号公報
【特許文献２】
特開平７−３１７２９号公報
【０００５】
【発明が解決しようとする課題】
しかし、前述した従来の画像表示装置では、１水平ライン毎に互いに直交する直線偏光フィルタライン部を透過した光を正確に液晶表示素子に照射するために、液晶表示素子に照射される光の縦方向の拡散を抑えていたため、観察者が上下に移動すると、観察者の目に光が届かなくなり、観察者が画像を鮮明に見ることができなくなっていた。
【０００６】
本発明は、観察者が特別なメガネをかけることなく立体視することができる三次元画像表示装置において、観察者が画像を見る位置が上下に移動しても、明るい鮮明な画像が得られる画像表示装置を提供することを目的とする。
【０００７】
また、前述した従来の画像表示装置を備える遊技機では、遊技盤に正対して遊技を行う遊技客（観察者）が画像を観察することができても、立って遊技機を見下ろしている者（例えば、遊技する遊技機を探す遊技客、遊技場の係員）などには、画像を鮮明に見ることができなくなっていた。このことにより、遊技機がデモ表示をしている場合、遊技機を選択しようとする遊技客に対して遊技機の特徴をアピールすることが困難となったり、遊技機が大当たりしたとき等に係員が表示内容を確認するのが困難となる問題が生じている。
【０００８】
本発明は、遊技中の遊技者以外の客や係員が島間から、明るい鮮明な画像を観察可能な画像表示装置を備えた遊技機を提供することを目的とする。
【０００９】
【課題を解決するための手段】
第１の発明は、後方から照射された光を透過可能な液晶表示パネルと、特定の偏光の光と、前記特定の偏光と直交する偏光の光とを、前記液晶表示パネルに照射する光源と、前記液晶表示パネルと前記光源との間に配置され、前記特定の偏光の光を透過する第１領域と、前記特定の偏光の光と直交する偏光の光を透過する（望ましくは、特定の偏光の光と直交する偏光の光のみを透過する）第２領域とが、縦方向に繰り返して設けられたフィルタと、前記液晶表示パネルの通電時又は非通電時に、前記液晶表示パネルを透過して出射される光を透過しない偏光特性を有する偏光板と、を備え、前記偏光板の前面には、入射した光を縦方向に拡散する拡散手段を備えた。
【００１０】
第２の発明は、第１の発明において、前記フィルタの第１領域は、偏光軸の傾きを変えることなく光を透過させ、前記第２領域は、偏光軸の傾きを９０度回転させて光を透過させる位相差板を備えることを特徴とする。
【００１１】
第３の発明は、第１の発明において、前記フィルタは、第２偏光板及び前記光源と前記第２偏光板との間に位置する微細位相差板とから構成され、前記第２偏光板は、前記第１偏光板に対して偏光軸が直交する偏光特性を有し、前記第１領域又は前記第２領域の一方には、前記フィルタ部に照射された光が前記第２偏光板を透過するように偏光軸の傾きを回転させる位相差板が設けられていることを特徴とする。
【００１２】
第４の発明は、第１から第３の発明において、前記拡散手段は、表面が半円状の凹凸が縦方向に繰り返し設けられているレンズ面からなる拡散板（例えば、レンチキュラーレンズ）であることを特徴とする。
【００１３】
第５の発明は、第１から第４の発明において、前記拡散手段は、表面が縦方向の方向拡散性を有する微細マット状拡散面からなる拡散板であることを特徴とする。
【００１４】
第６の発明は、第４又は第５の発明において、前記拡散手段は、２枚の前記拡散板によって構成されることを特徴とする。
【００１５】
第７の発明は、第４から第６の発明において、前記拡散板は、片面がレンズ面であり、該レンズ面を内側に向けて設けられることを特徴とする。
【００１６】
第８の発明は、第４又は第５の発明において、前記拡散手段は、両面に拡散面を有する拡散板であることを特徴とする。
【００１７】
第９の発明は、第４又は第６の発明において、前記拡散板は、片面がレンズ面、他方が微細マット状拡散面からなることを特徴とする。
【００１８】
第１０の発明は、第１から第９の発明において、前記光源は、偏光が特定されない光を放射する発光素子と、前記発光素子が放射した光を偏光が揃った状態で出力する偏光手段（例えば、偏光フィルタ）と、を含んで構成されることを特徴とする。
【００１９】
第１１の発明は、第１から第９の発明において、前記光源は、偏光が特定されない光を放射する発光素子と、前記発光素子が放射した光を偏光が揃った状態で出力する偏光手段と、異なる偏光の光を左右各々の目に到達する方向に屈折させて前記液晶表示パネルに照射する光学手段と、を含んで構成されることを特徴とする。
【００２０】
第１２の発明は、複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を起生可能な遊技機において、前記画像表示装置に、請求項１から１１のいずれか一つに記載の画像表示装置を用いた。
【００２１】
【発明の作用および効果】
第１の発明では、後方から照射された光を透過可能な液晶表示パネルと、特定の偏光の光と、前記特定の偏光と直交する偏光の光とを、前記液晶表示パネルに照射する光源と、前記液晶表示パネルと前記光源との間に配置され、前記特定の偏光の光を透過する第１領域と、前記特定の偏光の光と直交する偏光の光を透過する第２領域とが、縦方向に繰り返して設けられたフィルタと、前記液晶表示パネルの通電時又は非通電時に、前記液晶表示パネルを透過して出射される光を透過しない偏光特性を有する偏光板と、を備え、前記偏光板の前面には、入射した光を縦方向に拡散する拡散手段を備えた。すなわち、第１の発明では、前記フィルタは、光源から放射された光のうち特定の偏光の光を透過し、前記特定の偏光と直交する偏光の光を透過しない第１領域と、前記特定の偏光の光を透過せず、前記特定の偏光と直交する偏光の光を透過する第２領域とが、縦方向に繰り返して設けられているので、上下方向の拡散を抑えて液晶表示パネルに照射される光を上下方向に拡散することができ、観察者が画像を見る位置が上下に移動しても、明るい鮮明な画像が得ることができる。
【００２２】
第４の発明では、前記拡散手段は、表面が半円状の凹凸が縦方向に繰り返し設けられているレンズ面からなる拡散板（例えば、レンチキュラーレンズ）で構成したので、拡散角度を大きくすることができる。
【００２３】
第５の発明では、前記拡散手段は、表面が縦方向の方向拡散性を有する微細マット状拡散面からなる拡散板で構成したので、画像表示装置の画面のギラつきを抑制することができる。また、第４の発明のように、レンチキュラーレンズで拡散板を構成した場合と比べて、横方向の筋が生じることがなく、モアレが生じることも少なくなる。
【００２４】
第６の発明では、前記拡散手段は、２枚の前記拡散板によって構成されので、上下方向の拡散角度をより大きくすることができ、観察者が鮮明な画像が得ることができる範囲を広くすることができる。
【００２５】
第７の発明では、前記拡散板は、片面がレンズ面であり、該レンズ面を内側に向けて設けられるので、レンズ面が外側に設けられることがなく、観察者がレンズを触って、レンズの特性を変化させることがない。
【００２６】
第８の発明では、前記拡散手段は、両面に拡散面を有する拡散板で構成したので、上下方向の拡散角度をより大きくすることができ、観察者が鮮明な画像が得ることができる範囲を広くすることができる。
【００２７】
第９の発明では、前記レンズは、片面がレンズ面、他方が微細マット状拡散面からなるので、画像表示装置の画面のギラつきを抑制することができる。
【００２８】
【発明の実施の形態】
以下、本発明の実施の形態について、図面に基づいて説明する。
【００２９】
図１は、本発明の実施の形態の画像表示装置の構成を示す説明図である。
【００３０】
光源８０１は、発光素子８１０、偏光フィルタ８１１及びフレネルレンズ８１２によって構成されている。発光素子８１０には白色発光ダイオード等の点状の光源を横に並べて用いたり、冷陰極管等の線状の光源を水平に配置して構成されており、偏光の特定されない（様々な偏光の光を含む）光を放射している。偏光フィルタ８１１は右側領域８１１ａと左側領域８１１ｂとで透過する光の偏光が異なる（例えば、右側領域８１１ａと左側領域８１１ｂとで透過する光の偏光を９０度ずらす）ように設定されている。フレネルレンズ８１２は一側面に同心円上の凹凸を有するレンズ面を有している。
【００３１】
発光素子８１０から放射された光は、偏光フィルタ８１１によって一定の偏光の光のみが透過される。すなわち、発光素子８１０から放射された光のうち、偏光フィルタ８１１の右側領域８１１ａを通過した光と、左側領域８１１ｂを通過した光とが異なる偏光の光としてフレネルレンズ８１２に照射される。後述するように、偏光フィルタ８１１の右側領域８１１ａを通過した光は観察者の左目に到達し、左側領域８１１ｂを通過した光は観察者の右目に到達するようになっている。
【００３２】
なお、発光素子と偏光フィルタを用いなくても、異なる偏光の光を異なる位置から照射するように構成すればよく、例えば、異なる偏光の光を発生する発光素子を二つ設けて、異なる偏光の光を異なる位置からフレネルレンズ８１２に照射するように構成してもよい。
【００３３】
偏光フィルタ８１１を透過した光はフレネルレンズ８１２に照射される。フレネルレンズ８１２は凸レンズであり、フレネルレンズ８１２では発光素子８１０から拡散するように放射された光の光路を略平行に屈折して微細位相差板８０２を透過して、液晶表示パネル８０４に照射される。
【００３４】
このとき、微細位相差板８０２から照射される光は、上下方向に広がることがないように出射され、液晶表示パネル８０４に照射される。すなわち、微細位相差板８０２の特定の領域を透過した光が、液晶表示パネル８０４の特定の表示単位の部分を透過するようになっている。
【００３５】
また、液晶表示パネル８０４に照射される光のうち、偏光フィルタ８１１の右側領域８１１ａを通過した光と左側領域８１１ｂを通過した光とは、異なる角度でフレネルレンズ８１２に入射し、フレネルレンズ８１２で屈折して左右異なる経路で液晶表示パネル８０４から放射される。
【００３６】
液晶表示パネル８０４は、２枚の透明板（例えば、ガラス板）の間に所定の角度（例えば、９０度）ねじれて配向された液晶が配置されており、例えば、ＴＦＴ型の液晶表示パネルを構成している。液晶表示パネルに入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。
【００３７】
液晶表示パネル８０４の光源８０１側には、微細位相差板８０２及び偏光板８０３（第２偏光板）が配置されており、観察者側には、偏光板８０５（第１偏光板）が配置されている。
【００３８】
微細位相差板８０２は、透過する光の位相を変える領域が、微細な間隔で繰り返して配置されている。具体的には、光透過性の基材８２２に、微細な幅の１／２波長板８２１が設けられた領域８０２ａと、１／２波長板８２１の幅と同一の微細な間隔で、１／２波長板８２１が設けられていない領域８０２ｂとが微細な間隔で繰り返して設けられている。すなわち、設けられた１／２波長板によって透過する光の位相を変える領域８０２ａと、１／２波長板８２１が設けられていないために透過する光の位相を変えない領域８０２ｂとが微細な間隔で繰り返して設けられている。この１／２波長板は、透過する光の位相を変化させる位相差板として機能している。
【００３９】
１／２波長板８２１は、その光学軸を偏光フィルタ８１１の右側領域８１１ａを透過する光の偏光軸と４５度傾けて配置して、右側領域８１１ａを透過した光の偏光軸を９０度回転させて出射する。すなわち、右側領域８１１ａを透過した光の偏光軸を９０度回転させて、左側領域８１１ｂを透過する光の偏光と等しくする。すなわち、１／２波長板８２１が設けられていない領域８０２ｂは左側領域８１１ｂを通過した、偏光板８０３と同一の偏光を有する光を透過し、１／２波長板８２１が設けられた領域８０２ａは右側領域８１１ａを通過した、偏光板８０３と偏光軸が直交した光を、偏光板８０３の偏光軸と等しくなるように回転させて出射する。
【００４０】
この微細位相差板８０２の偏光特性の繰り返しは、液晶表示パネル８０４の表示単位と略同一のピッチとして、表示単位毎（すなわち、表示単位の横方向の水平ライン毎）に透過する光の偏光が異なるようにする。よって、液晶表示パネル８０４の表示単位の水平ライン（走査線）毎に対応する微細位相差板８０２の偏光特性が異なるようになって、水平ライン毎に出射する光の方向が異なる。
【００４１】
又は、微細位相差板８０２の偏光特性の繰り返しは、液晶表示パネル８０４の表示単位のピッチの整数倍のピッチとして、微細位相差板８０２の偏光特性が複数の表示単位毎（すなわち、複数の表示単位の水平ライン毎）に変わるようにして、複数の表示単位毎に透過する光の偏光が異なるように設定する。よって、液晶表示パネル８０４の表示単位の水平ライン（走査線）の複数本毎に微細位相差板８０２の偏光特性が異なって、水平ラインの複数本毎に出射する光の方向が異なる。
【００４２】
このように、微細位相差板８０２の偏光特性の繰り返し毎に異なる光を液晶表示パネル８０４の表示素子（水平ライン）に照射する必要があるため、微細位相差板８０２を透過して液晶表示パネル８０４に照射される光は、上下方向の拡散を抑制したものである必要がある。
【００４３】
すなわち、微細位相差板８０２の光の位相を変化させる領域８０２ａは、偏光フィルタ８１１の右側領域８１１ａを透過した光を、左側領域８１１ｂを透過した光の偏光と等しくして透過する。また、微細位相差板８０２の光の位相を変化させない領域８０２ｂは、偏光フィルタ８１１の左側領域８１１ｂを透過した光をそのまま透過する。そして微細位相差板８０２を出射した光は、左側領域８１１ｂを透過した光と同じ偏光を有して、液晶表示パネル８０４の光源側に設けられた偏光板８０３に入射する。
【００４４】
偏光板８０３は第２偏光板として機能し、微細位相差板８０２を透過した光と同一の偏光の光を透過する偏光特性を有する。すなわち、偏光フィルタ８１１の左側領域８１１ｂを透過した光は第２偏光板８０３を透過し、偏光フィルタ８１１の右側領域８１１ａを透過した光は偏光軸を９０度回転させられて第２偏光板８０３を透過する。また、偏光板８０５は第１偏光板として機能し、偏光板８０３と９０度異なる偏光の光を透過する偏光特性を有する。なお、偏光板８０５の観察者側にはディフューザ８０６が設けられていることから、偏光板８０５の観察者側の表面にアンチグレア処理が施されていないものを用いても、画面のギラツキを生じることがない。
【００４５】
このような微細位相差板８０２、偏光板８０３及び偏光板８０５を液晶表示パネル８０４に貼り合わせて、微細位相差板８０２、偏光板８０３、液晶表示パネル８０４及び偏光板８０５を組み合わせて画像表示装置を構成する。このとき、液晶に電圧が加わった状態では、微細位相差板８０２を透過した光は偏光板８０５を透過する。一方、液晶に電圧が加わっていない状態では、微細位相差板８０２を透過した光は偏光が９０度ねじれて液晶表示パネル８０４から出射されるので、偏光板８０５を透過しない。
【００４６】
ディフューザ８０６は、第１偏光板８０５の前面側（観察者側）に取り付けられており、液晶表示パネルを透過した光を上下方向に拡散する拡散手段として機能する。具体的には、図６に示すように、縦方向にかまぼこ状の凹凸が繰り返し設けられたレンチキュラーレンズを用い液晶表示パネルを透過した光を、上下に拡散する。
【００４７】
図２は、本発明の実施の形態の画像表示装置の駆動回路を示すブロック図である。
【００４８】
本発明の実施の形態の画像表示装置を駆動するための主制御回路には、ＣＰＵ１０１、プログラムなどを予め格納したＲＯＭ１０２、ＣＰＵ１０１の動作時にワークエリアとして使用されるメモリであるＲＡＭ１０３が設けられている。これらのＣＰＵ１０１、ＲＯＭ１０２及びＲＡＭ１０３はバス１０８によって接続されている。このバス１０８はＣＰＵ１０１がデータの読み書きをするために使用するアドレスバス及びデータバスから構成されている。
【００４９】
また、外部との入出力を司る通信インターフェース１０５、入力インターフェース１０６及び出力インターフェース１０７が、バス１０８に接続されている。通信インターフェース１０５は、所定の通信プロトコルに従ってデータ通信を行うためのデータ入出力部である。入力インターフェース１０６、出力インターフェース１０７は、画像表示装置に表示する画像データを入出力する。
【００５０】
また、バス１０８には、表示制御回路のグラフィック・ディスプレイ・プロセッサ（ＧＤＰ）１５６が接続されている。ＧＤＰ１５６は、ＣＰＵ１０１によって生成された画像データを演算し、ＲＡＭ１５３に設けられたフレームバッファに書き込んで、画像表示装置に対して出力する信号（ＲＧＢ、Ｖ  ＢＬＡＮＫ、Ｖ＿ＳＹＮＣ、Ｈ＿ＳＹＮＣ）を生成する。ＧＤＰ１５６には、ＲＯＭ１５２及びＲＡＭ１５３が接続されており、ＲＡＭ１５３には、ＧＤＰ１５６が動作するためのワークエリア及び表示データを記憶するフレームバッファが設けられている。また、ＲＯＭ１５２には、ＧＤＰ１５６が動作するために必要なプログラム及びデータが記憶されている。
【００５１】
また、ＧＤＰ１５６には、ＧＤＰ１５６にクロック信号を供給する発振器１５８が接続されている。発振器１５８が生成するクロック信号は、ＧＤＰ１５６の動作周期を規定し、ＧＤＰ１５６から出力される同期信号（例えば、Ｖ＿ＳＹＮＣ、Ｖ  ＢＬＡＮＫ）の周期を生成する。
【００５２】
ＧＤＰ１５６から出力されるＲＧＢ信号は、γ補正回路１５９に入力されている。このγ補正回路１５９は、画像表示装置の信号電圧に対する照度の非線形特性を補正して、画像表示装置の表示照度を調整して、画像表示装置に対して出力するＲＧＢ信号を生成する。
【００５３】
合成変換装置１７０は、右目用フレームバッファ、左目用フレームバッファ及び立体視用フレームバッファが設けられており、ＧＤＰ１５６から送られてきた右目用画像を右目用フレームバッファに書き込み、左目用画像を左目用フレームバッファに書き込む。そして、右目用画像と左目用画像とを合成して立体視用画像を生成して立体視用フレームバッファに書き込んで、立体視用画像データをＲＧＢ信号として画像表示装置に出力する。
【００５４】
この右目用画像と左目用画像との合成による立体視用画像の生成は、微細位相差板８０２の１／２波長板８２１の間隔毎に、右目用画像と左目用画像と組み合わせる。具体的には、本実施の形態の画像表示装置の微細位相差板８０２の１／２波長板８２１は液晶表示パネル８０４の表示単位の間隔で配置されているので、液晶表示パネル８０４の表示単位の横方向ライン（走査線）毎に右目用画像と左目用画像とが交互に表示されるように立体視用画像を表示する。
【００５５】
Ｌ信号出力中にＧＤＰ１５６から送信されてきた左目用画像データを左目用フレームバッファに書き込み、Ｒ信号出力中にＧＤＰ１５６から送信されてきた右目用画像データを右目用フレームバッファに書き込む。そして、左目用フレームバッファに書き込まれた左目用画像データと、右目用フレームバッファに書き込まれた右目用画像データとを走査線一本毎読み出して、立体視用フレームバッファに書き込む。
【００５６】
画像表示装置内には液晶ドライバ（LCD DRV）１８１、バックライトドライバ（BL DRV）１８２が設けられている。液晶ドライバ（LCD DRV）１８１は、合成変換装置１７０から送られてきたＶ  ＢＬＡＮＫ信号、Ｖ＿ＳＹＮＣ信号、Ｈ＿ＳＹＮＣ信号及びＲＧＢ信号に基づいて、液晶表示パネルの電極に順次電圧をかけて、液晶表示パネルに立体視用の合成画像を表示する。
【００５７】
バックライトドライバ１８２は、ＧＤＰ１５６から出力されたＤＴＹ＿ＣＴＲ信号に基づいて発光素子（バックライト）８１０に加わる電圧のデューティー比を変化させて、液晶表示パネル８０４の明るさを変化させる。
【００５８】
図３は、本発明の実施の形態の画像表示装置の微細位相差板８０２を示す正面図である。
【００５９】
微細位相差板８０２は、１／２波長板が設けられており、透過する光の偏光を変える領域が、所定の間隔毎に微細な間隔で繰り返し連続して配置されている。この繰り返し連続して配置される領域に入射する光の偏光は、各々偏光フィルタ８１１の右側領域８１１ａ、左側領域８１１ｂで異なり、透過する光の偏光を変える領域では、入射光の偏光軸を９０度回転させて出射する。この微細位相差板８０２の偏光特性の繰り返しは、液晶表示パネル８０４の表示単位と略同ピッチとしてある。
【００６０】
すなわち、偏光フィルタ８１１の右側領域８１１ａを透過して、微細位相板８０２で偏光軸を９０度回転させられた光と、偏光フィルタ８１１の左側領域８１１ｂを透過して、微細位相板８０２をそのまま透過した光の偏光軸が等しくなり、これらの光が第２偏光板８０３を透過する。微細位相差板８０２の、透過する光の偏光を変える領域と、透過する光の偏光を変えない領域とは、液晶表示パネル８０４の表示単位の水平ライン毎に繰り返し連続して配置されているので、微細位相差板８０２と第２偏光板８０３とを透過した光は、水平ライン毎に異なる方向へ向かう同一の偏光の光となる。
【００６１】
なお、前述したように、微細位相差板８０２の偏光特性の繰り返しは、液晶表示パネル８０４の表示単位のピッチの整数倍のピッチとして、微細位相差板８０２の偏光特性が複数の表示単位毎に変わるようにして、複数の表示単位毎に透過する光の偏光が異なるようにしてもよい。
【００６２】
図４は、本発明の実施の形態の画像表示装置の光学系を示す平面図である。また、図５は、本発明の実施の形態の画像表示装置から放射される光の経路を説明する図であり、図５（ａ）が、偏光フィルタの右側領域８１１ａを透過して左目に至る光の経路を、図５（ｂ）が、偏光フィルタの左側領域８１１ｂを透過して右目に至る光の経路を示す。
【００６３】
図４に示すように、発光素子８１０から放射された光は偏光フィルタ８１１を透過して放射状に広がっている。光源から放射された光のうち偏光フィルタ８１１の右側領域８１１ａを透過した光（一点鎖線で光路の中心を示す）は、フレネルレンズ８１２に到達し、フレネルレンズ８１２で光の進行方向を変えられて、微細位相差板８０２、偏光板８０３、液晶表示パネル８０４、偏光板８０５を略垂直（やや右側から左側）に透過して左目に至る。
【００６４】
一方、光源から放射された光のうち偏光フィルタ８１１の左側領域８１１ｂを透過した光（破線で光路の中心を示す）は、フレネルレンズ８１２に到達し、フレネルレンズ８１２で光の進行方向を変えられて、微細位相差板８０２、偏光板８０３、液晶表示パネル８０４、偏光板８０５を略垂直（やや左側から右側）に透過して右目に至る。
【００６５】
このように、発光素子８１０から放射され偏光フィルタ８１１を透過した光を、光学手段としてのフレネルレンズ８１２によって、液晶表示パネル８０４に略垂直に照射するようにしている。すなわち、発光素子８１０、偏光フィルタ８１１及びフレネルレンズ８１２によって、偏光面が異なる光を略垂直に、かつ、異なる経路で液晶表示パネル８０４に照射する光源８０１を構成し、液晶表示パネル８０４を透過した光を異なる経路で放射して、右目又は左目に到達させる。すなわち、液晶表示パネル８０４の走査線ピッチと、微細位相差板８０２の偏光特性の繰り返しピッチとを等しくして、液晶表示パネル８０４の走査線ピッチ毎に異なる方向から到来した光が照射され、異なる方向に光を出射する。
【００６６】
図５（ａ）に示すように、発光素子８１０から放射され、偏光フィルタ８１１の右側領域８１１ａを透過した光は、フレネルレンズ８１２を透過して、微細位相差板８０２に到達し、偏光を９０度回転させて出射する（右側領域８１１ａを透過した光を透過する）微細位相差板８０２の領域８０２ａを透過し、さらに、偏光板８０３、液晶表示パネル８０４、偏光板８０５を透過して、左目に至る。すなわち、液晶表示パネル８０４の領域８０２ａに対応する位置の表示素子によって表示された左目画像が左目に到達する。
【００６７】
この微細位相差板８０２の領域８０２ａと交互に並んで配置されている領域８０２ｂは光の偏光を変化させないので、偏光フィルタの右側領域８１１ａからの光は偏光板８０３を透過することなく、液晶表示パネル８０４の領域８０２ｂに対応する位置の表示素子に表示された右目画像は左目に到達しない。
【００６８】
一方、図５（ｂ）に示すように、発光素子８１０から放射され、偏光フィルタ８１１の左側領域８１１ｂを透過した光は、フレネルレンズ８１２を透過して、微細位相差板８０２に到達し、偏光フィルタの左側領域８１１ｂ同一偏光の光を透過する微細位相差板８０２の領域８０２ｂを透過して、液晶表示パネル８０４、偏光板８０５を透過して、右目に至る。すなわち、液晶表示パネル８０４の領域８０２ｂに対応する位置の表示素子によって表示された右目画像が右目に到達する。
【００６９】
この微細位相差板８０２の領域８０２ｂと交互に並んで配置されている領域８０２ａは光の偏光を変化させるので、偏光フィルタの左側領域８１１ｂからの光は偏光板８０３を透過することなく、液晶表示パネル８０４の領域８０２ａに対応する位置の表示素子に表示された左目画像は右目に到達しない。
【００７０】
図６は、本発明の実施の形態の画像表示装置のディフューザ８０６を示す断面図である。
【００７１】
ディフューザ８０６は、レンチキュラーレンズによって構成されており、横方向に延伸した半円状の凹凸（かまぼこ状の凹凸）８０６ａが、縦方向に繰り返して表面に設けられており、他方の表面は平面となっている。なお、横方向に延伸したＶ字型の溝を縦方向に繰り返して表面に設けて凹凸面を構成してもよい。そして、この凹凸面が液晶表示パネル８０４側に向き平面が観察者側を向くように、偏光板８０５の前面に取り付けられている。なお、レンチキュラーレンズの凹凸面は液晶表示パネル８０４側に向かせなくても、観察者側に向くように取り付けてもよい。
【００７２】
液晶表示パネル８０４を透過した光は、ディフューザ８０６に入射（図左側から入射）し、凹凸８０６ａによって、光の経路が上下に広がるように屈折されて観察者側に放射される。
【００７３】
レンチキュラーレンズ６の平面側にはブラックストライプ（吸光層）８０６ｂが設けられており、凹凸８０６ａの谷の部分に対向する位置に光を透過しない（又は、透過しづらい）領域が設けられている。このブラックストライプ８０６ａｂによって、凹凸８０６ａの谷の部分を通過する光が上下に拡散せずに直進することを防止しており、外からの光の写り込みを防止している。
【００７４】
図７は、本発明の実施の形態の画像表示装置のディフューザ８０６を示す断面図である。
【００７５】
ディフューザ８０６は、一方の表面に微少な凹凸が形成されたマット状拡散板によって構成されており、その表面には長径が略水平方向を向くように配置された楕円又は長円形状の突起８０６ｃが多数設けられて凹凸面が形成されており、他方の表面が平面となっている。そして、この凹凸面が液晶表示パネル８０４側に向き平面が観察者側を向くように、偏光板８０５の前面に取り付けられている。なお、マット状拡散板の凹凸面は液晶表示パネル８０４側に向かせなくても、観察者側に向くように取り付けてもよい。
【００７６】
液晶表示パネル８０４を透過した光は、ディフューザ８０６に入射（図左側から入射）し、突起８０６ｃによって、光の経路が広がるように屈折されて観察者側に放射される。このとき、入射した光が水平方向より垂直方向により拡散するように、突起８０６ｃは長径が水平方向を向くように配置されている。
【００７７】
図８は、本発明の実施の形態の画像表示装置のディフューザ８０６を示す断面図である。
【００７８】
ディフューザ８０６は、両方の表面に微少な凹凸が形成されたマット状拡散板によって構成されており、その表面には長径が略水平方向を向くように配置された楕円又は長円形状の突起８０６ｃが多数設けられて凹凸面が形成されている。そして、この凹凸面が液晶表示パネル８０４側に向き平面が観察者側を向くように、偏光板８０５の前面に取り付けられている。なお、マット状拡散板の凹凸面は液晶表示パネル側に向かせなくても、観察者側に向くように取り付けてもよい。
【００７９】
液晶表示パネル８０４を透過した光は、ディフューザ８０６に入射（図左側から入射）し、まず、液晶表示パネル８０４側の表面に設けられた突起８０６ｃによって光の経路が広がるように屈折される。そして、観察者側の表面に設けられた突起８０６ｃによってさらに屈折され、光の経路が広げられて観察者側に放射される。このとき、入射した光が水平方向より垂直方向により拡散するように、突起８０６ｃは長径が水平方向を向くように配置されている。
【００８０】
図９は、本発明の第２の実施の形態の画像表示装置の構成を示す説明図である。第２の実施の形態の画像表示装置は、前述した第１の実施の形態（図１）の画像表示装置と比べて、ディフューザ８０６の観察者側にさらにディフューザ８０７を設けて拡散手段としている。なお、同一の符号を付した構成は第１の実施の形態と同一に機能するので、個々の構成の詳細な説明は省略する。
【００８１】
前述した第１の実施の形態のように、一つのディフューザを設けただけでは、液晶表示パネル８０４を透過した光を十分な角度で拡散できないので、画像表示装置の用途が限られる場合があるが、第２の実施の形態のように、観察者側にディフューザを二つ設けると、液晶表示パネル８０４を透過した光を十分に拡散することができ、観察者が上下に移動したときにも画像を鮮明に見ることができる範囲を広くすることができる。
【００８２】
図１０は、本発明の第２の実施の形態の画像表示装置のディフューザ８０６、８０７を示す断面図である。
【００８３】
ディフューザ８０６及びディフューザ８０７は、共に、レンチキュラーレンズによって構成されており、横方向に延伸した半円状の凹凸（かまぼこ状の凹凸）が、縦方向に繰り返して表面に設けられており、他方の表面は平面となっている。そして、ディフューザ８０６の凹凸面が液晶表示パネル８０４側を向き（平面が観察者側を向き）、ディフューザ８０７の凹凸面が観察者側に向く（平面が液晶表示パネル８０４側を向く）ように、互いに平面が対向するように組み合わされている。このように、ディフューザの平面が対向するように組み合わせると、ディフューザ８０６と、ディフューザ８０７とを容易に張り合わせることができる。
【００８４】
なお、図１０に示す例では、ディフューザ８０６とディフューザ８０７との平面が対向するように組み合わせたが、ディフューザ８０６とディフューザ８０７との凹凸面同士が対向するように組み合わせてもよく、一方のディフューザの凹凸面と、他方のディフューザ８０７の平面とが対向するように組み合わせてもよい。
【００８５】
そして、ディフューザ８０６及びディフューザ８０７は、図９に示すように偏光板８０５の前面に取り付けられている。
【００８６】
液晶表示パネル８０４を透過した光は、ディフューザ８０６に入射（図左側から入射）し、その凹凸によって光の経路が上下に広がるように屈折されて出射される。そして、ディフューザ８０７の凹凸によって、光の経路がさらに上下に広がるように屈折されて観察者側に出射される。
【００８７】
図１１は、図１０に示すディフューザの変形例を示す断面図であり、図１０に示すディフューザを構成する２枚の拡散板を一体に形成したものである。
【００８８】
ディフューザ８０６、８０７が一体化に形成されたディフューザの両面は、レンチキュラーレンズとなっており、横方向に延伸した半円状の凹凸（かまぼこ状の凹凸）が、縦方向に繰り返して表面に設けられている。そして、２枚の拡散板が一体化されたディフューザ８０６、８０７は、図９に示すように偏光板８０５の前面に取り付けられている。
【００８９】
液晶表示パネル８０４を透過した光は、ディフューザ８０６、８０７に図左側から入射し、入射側（図左側）側面に設けられた凹凸によって光の経路が上下に広がるように屈折される。さらに、出射側（図右側）側面の凹凸によって、光の経路がさらに上下に広がるように屈折されて観察者側に出射される。
【００９０】
なお、図１０、図１１に示す、両面に凹凸面を有するディフューザでは、両面をレンズ面（レンチキュラーレンズ）で構成したが、一面をレンズ面（レンチキュラーレンズ）とし他面を微細マット状拡散面として構成してもよく、両面を微細マット状拡散面として構成してもよい。
【００９１】
図１２は、本発明の第２の実施の形態の画像表示装置の別の構成のディフューザ８０６、８０７を示す断面図である。
【００９２】
ディフューザ８０６及びディフューザ８０７は、共に、レンチキュラーレンズによって構成されており、横方向に延伸した半円状の凹凸（かまぼこ状の凹凸）が、縦方向に繰り返して表面に設けられており、他方の表面は平面となっている。そして、ディフューザ８０６の平面が液晶表示パネル８０４側を向き（凹凸面が観察者側を向き）、ディフューザ８０７の平面が前面側（観察者側）を向く（凹凸面が液晶表示パネル８０４側を向く）ように、互いに凹凸面が対向するように組み合わされている。
【００９３】
そして、ディフューザ８０６及びディフューザ８０７は、図９に示すように偏光板８０５の前面に取り付けられている。
【００９４】
液晶表示パネル８０４を透過した光は、ディフューザ８０６に入射（図左側から入射）し、その凹凸によって光の経路が上下に広がるように屈折されて出射される。そして、ディフューザ８０７の凹凸によって、光の経路がさらに上下に広がるように屈折されて観察者側に出射される。
【００９５】
図１３は、本発明の第２の実施の形態の画像表示装置の別の構成のディフューザ８０６、８０７を示す断面図である。
【００９６】
ディフューザ８０６は、レンチキュラーレンズによって構成されており、横方向に延伸した半円状の凹凸（かまぼこ状の凹凸）が、縦方向に繰り返して表面に設けられており、他方の表面は平面となっている。ディフューザ８０７は、凹レンズと同様に光を拡散する特性を有するレンチキュラーレンズを用いて構成してもよい。
【００９７】
そして、ディフューザ８０６の平面が液晶表示パネル８０４側を向き（凹凸面が観察者側を向き）、ディフューザ８０７は平面が観察者側を向く（凹面が液晶表示パネル８０４側を向く）ように、ディフューザ８０６とディフューザ８０７とが組み合わされている。そして、ディフューザ８０６及びディフューザ８０７は、図９に示すように偏光板８０５の前面に取り付けられている。
【００９８】
液晶表示パネル８０４を透過した光は、ディフューザ８０６に入射（図左側から入射）し、その凹凸によって、光の経路が上下に広がるように屈折されて出射される。そして、ディフューザ８０７によって、光の経路がさらに上下に広がるように屈折されて観察者側に出射される。
【００９９】
以上説明した、最観察者側に設けられるディフューザ８０７を画像表示装置の表示面を保護する透明樹脂板として用いてもよい。すなわち、画像表示装置の最前面に設けられる光透過性の保護板の内側に凹凸を設けてレンチキュラーレンズとしてもよい。
【０１００】
図１４は、本発明の第２の実施の形態の画像表示装置の別の構成のディフューザ８０６、８０７を示す断面図である。
【０１０１】
液晶表示パネル８０４側に設置されるディフューザ８０６は、液晶表示パネル８０４側の表面には微少な凹凸（突起）が形成されたマット状拡散面が形成される。この突起は、入射した光が水平方向より垂直方向により拡散するように、突起の長径が水平方向を向くように配置されている。さらに、ディフューザ８０６の観察者側の表面には、横方向に延伸した半円状の凹凸（かまぼこ状の凹凸）が、縦方向に繰り返して表面に設けられているレンチキュラーレンズが形成されている。観察者側に設置されるディフューザ８０７は、液晶表示パネル８０４側の表面には微少な凹凸が形成されたマット状拡散面が形成され、観察者側の表面は平面となっている。
【０１０２】
そして、ディフューザ８０６のマット状拡散面が液晶表示パネル８０４側を向き（レンチキュラーレンズ面が観察者側を向き）、ディフューザ８０７は平面が観察者側を向く（マット状拡散面が液晶表示パネル８０４側を向く）ように、ディフューザ８０６とディフューザ８０７とが組み合わされている。そして、ディフューザ８０６及びディフューザ８０７は、図９に示すように偏光板８０５の前面に取り付けられている。
【０１０３】
よって、液晶表示パネル８０４を透過した光は、ディフューザ８０６に（図左側から）入射し、液晶表示パネル側表面に設けられた突起によって、光の経路が広がるように屈折され、観察者側表面に設けられたレンチキュラーレンズによって、さらに光が広がるように屈折されて観察者側に放射される。そして、ディフューザ８０７によって、光の経路がさらに上下に広がるように屈折されて観察者側に出射される。
【０１０４】
すなわち、液晶表示パネル側のディフューザ（第１拡散板）の入射側（液晶表示パネル側）表面は微細マット状拡散面が形成され、出射側（観察者側）表面はレンズ面（例えば、レンチキュラーレンズ）が形成されており、主に光の拡散機能を持たせている。また、観察者側のディフューザ（第２拡散板）の入射側（液晶表示パネル側）表面はマット状拡散面が形成され、出射側（観察者側）表面は平面となっており、主に光の表示画面のぎらつき防止機能を持たせている。このように２つのディフューザを重ねて設けると、光を上下方向に大きな角度で拡散し、レンチキュラーレンズによって生じる横縞を目立たなくし、画面のギラつきを抑制することができる。
【０１０５】
なお、観察者側のディフューザ（第２拡散板）は入射側（液晶表示パネル側）表面を平面とし、出射側（観察者側）表面をマット状拡散面としても、同様の効果を得ることができる。
【０１０６】
図１５は、本発明の第２の実施の形態の画像表示装置の別の構成のディフューザ８０６、８０７を示す断面図である。
【０１０７】
ディフューザ８０６は、一方の表面に微少な凹凸が形成されたマット状拡散板によって構成されており、その表面には長径が略水平方向を向くように配置された楕円又は長円形状の突起８０６ｃが多数設けられて凹凸面が形成されており、他方の表面が平面となっている。そして、この凹凸面が液晶表示パネル８０４側（入射側）に向き、平面が観察者側を向くように、偏光板８０５の前面（観察者側）に取り付けられている。
【０１０８】
ディフューザ８０７は、レンチキュラーレンズによって構成されており、横方向に延伸した半円状の凹凸（かまぼこ状の凹凸）８０７ａが、縦方向に繰り返して表面に設けられており、他方の表面は平面となっている。なお、横方向に延伸したＶ字型の溝を縦方向に繰り返して表面に設けて凹凸面を構成してもよい。そして、この凹凸面が液晶表示パネル８０４側に向き平面が液晶表示パネル８０４側（入射側）に向き、凹凸面が観察者側を向くように、偏光板８０５の前面（観察者側）に配置されている。
【０１０９】
ディフューザ８０６とディフューザ８０７との間には、透明板８０８が設けられており、ポリカーボネート等の透明な樹脂板で構成されている。この透明板８０８は、ディフューザ８０６とディフューザ８０７との間のスペーサとして機能している。
【０１１０】
すなわち、液晶表示パネル側のディフューザ（第１拡散板）の入射側（液晶表示パネル側）表面は微細マット状拡散面が形成され、出射側（観察者側）表面は平面となっており、小さなピッチでの光の拡散機能を持たせている。また、観察者側のディフューザ（第２拡散板）の入射側（液晶表示パネル側）表面は平面であり、出射側（観察者側）表面はレンチキュラーレンズが構成されており、大きなピッチでの光の拡散機能を持たせている。そして、第１拡散板と第２拡散板とは所定の間隔を持って略平行に配置されており、第１拡散板による拡散効果が生じてから、第２拡散板によって更に拡散がされ、高い拡散効果が得られるようにしている。また、画像の揺らぎを防止してシンチレーションを抑制している。
【０１１１】
このように、図１５に示すディフューザは拡散手段として機能し、表面が縦方向の方向拡散性を有する微細マット状拡散面からなる第１拡散板と、表面が半円状の凹凸が縦方向に繰り返し設けられているレンズ面からなる第２拡散板とが、所定の間隔で略平行に組み合わされて構成されており、第１拡散板と第２拡散板との間には光透過性部材（スペーサ８０８）が設けられている。そして、
第１拡散板の微細マット状拡散面が液晶表示パネル側を向き、第２拡散板の凹凸面（レンズ面）が観察者側を向くように構成されている。
【０１１２】
また、図１５に示す実施の形態において、ディフューザ８０６、８０７の凹凸のピッチを、液晶表示パネル８０４の画素ピッチと変えるように構成すると、ピッチの重なりによるモアレの発生を抑制することができる。
【０１１３】
また、ディフューザ８０７の横方向に延伸された半円状の凹凸と、液晶表示パネル８０４の水平ラインとを傾けて（例えば、５°程度傾けて）、ディフューザ８０７を配置すると、ピッチの重なりによるモアレの発生を抑制することができる。
【０１１４】
図１６は、本発明の第３の実施の形態の画像表示装置の光学系を示す平面図である。
【０１１５】
図４に示す実施の形態では、光源８０１を構成する発光素子８１０を画像表示装置（液晶表示パネル８０４）の後方に設けたが、図１６に示す実施の形態では、発光素子８１０を液晶表示パネル８０４の下方に設けた。
【０１１６】
液晶表示パネル８０４の下方に配置された発光素子８１０ａから放射された光は偏光フィルタ８１１を透過して放射状に広がっている。そして、反射板８１３（例えば、鏡）に到達した光は、進行方向を変えられてフレネルレンズ８１２に至る。すなわち、本来、図中点線で示す位置（８１０）にあるべき発光素子は、反射板８１３の作用によって、点線の位置にあるのと同様の光によって、フレネルレンズ８１２を照射することができる。
【０１１７】
図１７は、本発明の実施の形態の画像表示装置に供給される信号のタイミング図である。
【０１１８】
Ｖ＿ＳＹＮＣ信号は、画像データの走査開始タイミングを示すために供給される。画像表示装置では、Ｖ＿ＳＹＮＣ信号に従って、Ｖ＿ＳＹＮＣ信号の立ち上がりタイミングによって走査線の走査を開始して、画像データを表示する。Ｖ  ＢＬＡＮＫ信号は、走査線を１本おきに走査して描画するインターレース方式の画像表示装置において、奇数番目の走査線と偶数番目の走査線とを区別するために設けられるものである。
【０１１９】
Ｌ／Ｒ信号は、表示制御回路から合成変換装置１７０に送信される信号で、現在ＧＤＰ１５６から出力中の信号が、左目用画像か右目用画像かを示し、Ｈｉ状態では左目用画像（Ｌ）をＬｏｗ状態では右目用画像（Ｒ）を意味している。
【０１２０】
すなわち、表示制御回路から合成変換装置１７０に送信される画像データは、Ｌ／Ｒ信号に合わせて左目用画像及び右目用画像が交互に送信される。合成変換装置では、Ｌ／Ｒ信号の切り替えタイミングに応じて、表示制御回路（ＧＤＰ１５６）から送信される画像データを取り込んで、該データを左目用フレームバッファ又は左目用フレームバッファに書き込む。なお、合成変換装置１７０が画像データを取り込むためのトリガ信号を別に設けてもよい。
【０１２１】
そして、左目用画像データの奇数番目の走査線に対応するデータと、右目用画像データの偶数番目の走査線に対応するデータとを合成して立体視用画像データを生成して、立体視用フレームバッファに書き込む。この立体視用画像データはＶ＿ＳＹＮＣ信号及びＶ  ＢＬＡＮＫ信号のタイミングに合わせて表示装置（ＬＣＤドライバ１８１）に出力される。
【０１２２】
図１８は、本発明の実施の形態の画像表示装置に表示される画像データを説明する図である。
【０１２３】
走査線Ｌ１からＬ１０によって構成された左目用画像と、走査線Ｒ１からＲ１０によって構成された右目用画像とを合成して、本発明の実施の形態の画像表示装置に表示される立体視用の画像データを生成する。この左目用画像データ及び右目用画像データは、二つ映像を同時に撮影する立体視用カメラ等を用いて撮影されたものを用いる。
【０１２４】
左目用画像データの奇数番目の走査線のデータが取り出され、表示制御回路１５０から順次出力されて画像表示装置８に表示される。左目画像用データのうち偶数本目の走査線のデータは表示されることなく破棄される。そして、Ｖブランク（V BLANK）信号が表示制御回路１５０から出力され、偶数番目の走査線の走査に移行すると、表示制御回路１５０から出力されるデータが左目用画像データから右目用画像データに変更される。右目用画像データとしては偶数番目の走査線のデータが順次出力され、画像表示装置に表示される。右目画像用データのうち奇数番目の走査線のデータは表示されることなく破棄される。
【０１２５】
すなわち、左目用画像データと右目用画像データとを走査線１本おきに抽出して、奇数番目の走査線の左目用画像データと、偶数番目の走査線の右目用画像データとを合成して、液晶表示パネル８０４に表示する。
【０１２６】
図１９は、本発明の実施の形態の画像表示装置に表示される別な画像データを説明する図である。
【０１２７】
図１９に示す実施の形態では、走査線Ｌ１からＬ５によって構成された左目用画像と、走査線Ｒ１からＲ５によって構成された右目用画像とを合成して、本発明の実施の形態の画像表示装置８に表示される立体視用の画像データを生成する。この左目用画像データ及び右目用画像データは、二つ映像を同時に撮影する立体視用カメラ等を用いて撮影されたものを用いる。
【０１２８】
左目用画像データは奇数番目の走査線のデータとして、表示制御回路１５０から順次出力されて画像表示装置８に表示される。そして、Ｖブランク信号（V BLANK）によって偶数番目の走査線の走査に移行すると、出力されるデータが左目用画像データから右目用画像データに変更される。右目用画像データは偶数番目の走査線のデータとして順次出力され、画像表示装置８に表示される。
【０１２９】
すなわち、左目用画像のデータ及び右目用画像のデータは、合成して生成される立体視用の画像データと走査線間隔が異なるように生成されており、走査線間隔が粗い左目用画像データと右目用画像データとを合成して、液晶表示パネル８０４に表示する。
【０１３０】
図２０は、本発明の実施の形態の遊技機（カード球貸ユニットを併設したＣＲ機）全体の構成を示す正面図である。
【０１３１】
遊技機（パチンコ遊技機）１の前面枠３は本体枠（外枠）４にヒンジ５を介して開閉回動可能に組み付けられ、遊技盤６は前面枠３の裏面に取り付けられた収納フレームに収納される。
【０１３２】
遊技盤６の表面には、ガイドレールで囲われた遊技領域が形成され、遊技領域のほぼ中央には画像表示装置（特別図柄表示装置）８が設けられるセンターケース１１が配置され、遊技領域の下方には大入賞口を備えた変動入賞装置１０が配置される他、遊技領域には各入賞口１２〜１５、始動口１６、普通図柄表示器７、普通変動入賞装置９等が配置されている。前面枠３には、遊技盤６の前面を覆う前面構成部材としてのカバーガラス１８が取り付けられている。
【０１３３】
画像表示装置８は、ＬＣＤ（液晶表示器）で表示画面が構成されており、前述した第１〜第３の実施の形態の画像表示装置が用いられ、立体視しうる三次元映像が表示画面に表示可能となっている。
【０１３４】
なお、ディフューザ８０６、８０７を遊技盤前面に設けられるカバーガラス１８と一体に構成する（すなわち、カバーガラス１８の表面を加工して、カバーガラス１８にディフューザの機能を持たせる）こともできる。この場合、カバーガラス１８を含めたものが、前述した第１〜第３の実施の形態の画像表示装置に相当する。
【０１３５】
表示画面の画像を表示可能な領域（表示領域）には、複数の変動表示領域が設けられており、各変動表示領域に識別情報（特別図柄、普通図柄）や変動表示ゲームを演出するキャラクタが表示される。すなわち、表示画面の左、中、右に設けられた変動表示領域には、識別情報として割り当てられた図柄（例えば、「０」〜「９」までの数字及び「Ａ」、「Ｂ」の英文字による１２種類の図柄）が変動表示して変動表示ゲームが行われる。その他、表示画面には遊技の進行に基づく画像が表示される。
【０１３６】
画像表示装置８の下方には、普通変動入賞装置（普通電動役物）９を有する始動口１６が、遊技領域の左右の所定の位置には、普通図柄始動ゲート１４が配置される。
【０１３７】
本実施の形態の遊技機では、打球発射装置（図示省略）から遊技領域に向けて遊技球（パチンコ球）が打ち出されることによって遊技が行われ、打ち出された遊技球は、遊技領域内の各所に配置された風車等の転動誘導部材１２によって転動方向を変えながら遊技領域を流下し、始動口１６、一般入賞口１５、特別変動入賞装置１０に入賞するか、遊技領域の最下部に設けられたアウト口から排出される。一般入賞口１５への遊技球の入賞は、一般入賞口毎に備えられたＮ個の入賞センサ５１．１〜５１．Ｎ（図２１参照）により検出される。
【０１３８】
始動口１６、一般入賞口１５、特別変動入賞装置（大入賞口）１０に遊技球が入賞すると、入賞した入賞口の種類に応じた数の賞球が払出ユニット（排出装置）から排出され、供給皿２１に供給される。
【０１３９】
始動口１６へ遊技球の入賞があると、画像表示装置８では、前述した数字等で構成される識別情報が順に変動表示する変動表示ゲームが開始し、変動表示ゲームに関する画像が表示される。始動口１６への入賞が所定のタイミングでなされたとき（具体的には、入賞検出時の特別図柄乱数カウンタ値が当たり値であるとき）には大当たり状態となり、三つの表示図柄が揃った状態（大当たり図柄）で停止する。このとき、特別変動入賞装置１０は、大入賞口ソレノイド１０Ａ（図２１参照）への通電により、大入賞口が所定の時間（例えば、３０秒）だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者は多くの遊技球を獲得することができるという遊技価値が付与される。
【０１４０】
始動口１６への遊技球の入賞は、特別図柄始動センサ５２（図２１参照）で検出される。この遊技球の通過タイミングによって抽出された特別図柄乱数カウンタ値は、遊技制御装置１００内の所定の記憶領域（特別図柄入賞記憶領域）に、特別図柄入賞記憶として所定回数（例えば、最大で連続した４回分）を限度に記憶される。この特別図柄入賞記憶の記憶数は、画像表示装置８の表示画面の一部に設けられた特別図柄記憶状態表示領域に表示される。遊技制御装置１００は、特別図柄入賞記憶に基づいて、画像表示装置８にて可変表示ゲームを行う。
【０１４１】
特別変動入賞装置１０への遊技球の入賞は、カウントセンサ５４、継続センサ５５（図２１参照）により検出される。
【０１４２】
普通図柄始動ゲート１４への遊技球の通過があると、普通図柄表示器７では、普通図柄（例えば、一桁の数字からなる図柄）の変動表示を始める。普通図柄始動ゲート１４への通過検出が所定のタイミングでなされたとき（具体的には、通過検出時の普通図柄乱数カウンタ値が当たり値であるとき）には、普通図柄に関する当たり状態となり、普通図柄が当たり図柄（当たり番号）で停止する。このとき、始動口１６の手前に設けられた普通変動入賞装置９は、普通電動役物ソレノイド９Ａ（図２１参照）への通電により、始動口１６への入口が所定の時間（例えば０．５秒）だけ拡開するように変換され、遊技球の始動口１６への入賞可能性が高められる。
【０１４３】
普通図柄始動ゲート１４への遊技球の通過は、普通図柄始動センサ５３（図２１参照）で検出される。この遊技球の通過タイミングによって抽出された普通図柄乱数カウンタ値は、遊技制御装置１００内の所定の記憶領域（普通図柄入賞記憶領域）に、普通図柄入賞記憶として所定回数（例えば、最大で連続した４回分）を限度に記憶される。この普通図柄入賞記憶の記憶数は変動入賞装置１０の右側に設けられた所定数のＬＥＤからなる普通図柄記憶状態表示器１９に表示される。遊技制御装置１００は普通図柄入賞記憶に基づいて、普通図柄に関する当たりの抽選を行う。
【０１４４】
遊技機の要所には、装飾用ランプ、ＬＥＤ等の装飾発光装置が設けられる。すなわち、遊技盤中央部に設けられたセンターケース１１、遊技盤下部に設けられたアタッカー（変動入賞装置１０の周囲）には、遊技の進行に応じて発光する装飾ランプが設けられている。さらに、遊技盤の左右上部にはサイドケースランプが、遊技盤の左右側部にはサイドランプ３３が設けられている。また、遊技枠には遊技枠装飾ランプが設けられている。これらのランプは遊技の進行に合わせて点灯して、遊技者の遊技に対する興趣が継続するようにしている。また、カバーガラス１８の上部の前面枠３には、点灯により球の排出の異常等の状態を報知する第１報知ランプ３１、第２報知ランプ３２が設けられている。
【０１４５】
前面枠３の下部の開閉パネル２０には球を打球発射装置に供給する上皿２１が、固定パネル２２には下皿２３及び打球発射装置の操作部２４等が配置される。また、音出力装置（スピーカ）が設けられる。
【０１４６】
カード球貸ユニット２用の操作パネル２６は遊技機１の上皿２１の外面に形成され、カードの残高を表示するカード残高表示部（図示省略）、球貸しを指令する球貸しスイッチ２８、カードの返却を指令するカード返却スイッチ３０等が設けられている。
【０１４７】
カード球貸ユニット２には、前面のカード挿入部２５に挿入されたカード（プリペイドカード等）のデータの読込、書込等を行うカードリーダライタと球貸制御装置が内蔵される。
【０１４８】
図２１は、本発明の実施の形態の遊技機の遊技制御装置１００を中心とする制御系の一部を示すブロック図である。
【０１４９】
遊技制御装置１００は、遊技を統括的に制御する主制御装置であり、遊技制御を司るＣＰＵ、遊技制御のための不変の情報を記憶しているＲＯＭ及び遊技制御時にワークエリアとして利用されるＲＡＭを内蔵した遊技用マイクロコンピュータ１１１、入力インターフェース１１２、出力インターフェース１１３、発振器１０４等から構成される。
【０１５０】
遊技用マイクロコンピュータ１１１は、入力インターフェース１１２を介しての各種検出装置（一般入賞口センサ５１．１〜５１．Ｎ、特別図柄始動センサ５２、普通図柄始動センサ５３、カウントセンサ５４、継続センサ５５）からの検出信号を受けて、大当たり抽選等、種々の処理を行う。そして、出力インターフェース１１３を介して、各種制御装置（演出制御装置（表示制御回路１５０）、排出制御装置２００、装飾制御装置２５０、音制御装置３００）、普通図柄表示器７、普通電動役物ソレノイド９Ａ、大入賞口ソレノイド１０Ａ等に指令信号を送信して、遊技を統括的に制御する。
【０１５１】
排出制御装置２００は、遊技制御装置１００からの賞球指令信号に基づいて、払出ユニットの動作を制御し賞球を排出させる。また、カード球貸ユニット２からの貸球要求に基づいて、払出ユニットの動作を制御し貸球を排出させる。
【０１５２】
装飾制御装置２５０は、遊技制御装置１００からの指令信号に基づいて、装飾用ランプ、ＬＥＤ等の装飾発光装置（センターケース１１内の装飾ランプ、アタッカー内の装飾ランプ、サイドランプ３３、サイドケースランプ、遊技枠装飾ランプ、報知ランプ３１等）を制御する、また、普通図柄入賞記憶表示器１９の表示を制御して、ランプ制御装置として機能する。
【０１５３】
音制御装置３００は、スピーカから出力される効果音を制御して、音制御装置として機能する。
【０１５４】
なお、遊技制御装置１００から、各種従属制御装置（演出制御装置（表示制御回路１５０）、排出制御装置２００、装飾制御装置２５０、音制御装置３００）への通信は、遊技制御装置１００から従属制御装置に向かう単方向通信のみが許容されるようになっている。これにより、遊技制御装置１００に従属制御装置側から不正な信号が入力されることを防止することができる。
【０１５５】
遊技機の電源装置（図示省略）は、電源回路のほかに、バックアップ電源部と停電監視回路とを備えている。停電監視回路は、電源装置の所定の電圧降下を検出すると、遊技制御装置１００等に対して停電検出信号とリセット信号とを順に出力する。遊技制御装置１００は、停電検出信号を受けると所定の停電処理を行い、リセット信号を受けるとＣＰＵの動作を停止する。バックアップ電源部は、遊技制御装置１００等のＲＡＭにバックアップ電源を供給して、遊技データ（遊技情報、遊技制御情報：変動表示ゲーム情報を含む）等をバックアップする。
【０１５６】
演出制御装置に含まれる表示制御回路１５０は、画像の表示制御を行うもので、遊技制御装置１００及び合成変換装置１７０と共に演出制御手段として機能する。この表示制御回路１５０は、ＣＰＵ１５１、ＧＤＰ（Graphic Display Processor）１５６、ＲＡＭ１５３、インターフェース１５５、プログラム等を格納したＲＯＭ１５２、画像データ（図柄データ、背景画データ、動画キャラクタデータ、テクスチャデータ等）を格納したフォントＲＯＭ１５７、同期信号やストローブ信号を発生させるクロック信号を生成する発振器１５８等から構成される。
【０１５７】
ＣＰＵ１５１は、ＲＯＭ１５２に格納したプログラムを実行し、遊技制御装置１００からの信号に基づいて所定の変動表示ゲームのための画像制御情報（スプライトデータやポリゴンデータ等で構成される図柄表示情報、背景画面情報、動画オブジェクト画面情報等）を演算して右眼用画像信号と左眼用画像信号とを交互に生成するようにＧＤＰ１５６に指示する。この右眼用画像信号と左眼用画像信号との生成タイミングに合わせてＬ／Ｒ信号が生成され、生成されている画像信号が右眼用画像信号なのか左眼用画像信号なのかが識別可能なようになっている。
【０１５８】
ＧＤＰ１５６は、フォントＲＯＭ１５７に格納された画像データ及びＣＰＵ１５１により画像制御情報を演算した内容に基づいて、例えば、画像のポリゴン描画（または、通常のビットマップ描画）を行うとともに、各ポリゴンに所定のテクスチャを貼り付けてフレームバッファとしてのＲＡＭ１５３に格納する。そして、ＧＤＰ１５６は、ＲＡＭ１５３の画像を所定のタイミング（垂直同期信号Ｖ＿ＳＹＮＣ、水平同期信号Ｈ＿ＳＹＮＣ）でＬＣＤ側（合成変換装置１７０）へ送信する。
【０１５９】
ＧＤＰ１５６が行う描画処理は、点描画、線描画、トライアングル描画、ポリゴン描画を行い、さらにテクスチャマッピング、アルファブレンディング、シェーディング処理（グローシェーディングなど）、陰面消去（Ｚバッファ処理など）を行って、γ補正回路１５９を介して画像信号を合成変換装置１７０に出力する。
【０１６０】
なお、ＧＤＰ１５６は、描画した画像データをフレームバッファとしてのＲＡＭ１５３へ一旦格納した後、同期信号（Ｖ＿ＳＹＮＣなど）に合わせて合成変換装置１７０へ出力してもよい。
【０１６１】
ここで、フレームバッファは、複数のフレームバッファをそれぞれＲＡＭ１５３の所定の記憶領域などに設定しておき、ＧＤＰ１５６は、任意の画像に重ね合わせて（オーバーレイ）出力することも可能である。
【０１６２】
ＧＤＰ１５６には、クロック信号を供給する発振器１５８が接続されている。発振器１５８が生成するクロック信号は、ＧＤＰ１５６の動作周期を規定し、ＧＤＰ１５６から出力される信号、例えば、Ｖ  ＢＬＡＮＫ信号、垂直同期信号（Ｖ＿ＳＹＮＣ）及び水平同期信号（Ｈ＿ＳＹＮＣ）を生成し、合成変換装置１７０及び画像表示装置８へ出力される。
【０１６３】
ＧＤＰ１５６から出力されるＲＧＢ信号は、γ補正回路１５９に入力されている。このγ補正回路１５９は、画像表示装置８の信号電圧に対する照度の非線形特性を補正して、画像表示装置８の表示照度を調整して、画像表示装置８に対して出力するＲＧＢ信号を生成する。
【０１６４】
また、表示制御回路１５０のＣＰＵ１５１は、発振器１５８のクロック信号に基づいて、合成変換装置１７０へ出力する画像データ（ＲＧＢ）が、左目用の画像又は右目用の画像の何れであるかを識別するＬ／Ｒ信号を出力する。
【０１６５】
さらに、ＣＰＵ１５１は、変動表示の状態（例えば、通常の変動表示ゲームか、大当たり中の表示か等）や遊技の状態に基づいて、画像表示装置８の輝度（バックライトの発光量）を制御するため、デューティ制御信号ＤＴＹ＿ＣＴＲを発振器１５８のクロック信号に基づいて生成し、画像表示装置８へ出力する。
【０１６６】
合成変換装置１７０は、ＣＰＵ１５１から出力されたＬ／Ｒ信号に基づいて、ＧＤＰ１５６から送られてきた画像信号が右眼用画像信号なのか左眼用画像信号なのかを判定する。また、合成変換装置１７０には、右目用フレームバッファ、左目用フレームバッファ及び立体視用フレームバッファが設けられており、判定された右目用画像信号を右目用フレームバッファに書き込み、左目用画像信号を左目用フレームバッファに書き込む。そして、右目用画像と左目用画像とを合成して立体視用画像を生成して、立体視用画像信号を立体視用フレームバッファに書き込んで、立体視用画像データをＲＧＢ信号として画像表示装置８に出力する。
【０１６７】
前述したように、この右目用画像と左目用画像とが合成された立体視用画像信号によって、液晶表示器の表示単位の縦方向ライン（走査線）毎に右目用画像と左目用画像とが交互に表示されるように立体視用画像を表示する。
【０１６８】
具体的には、立体視用画像情報（表示オブジェクト）の奥行き情報に基づいて、右目用画像と左目用画像とで視差をつけて生成される。ポリゴン描画の場合には、左目用視点と右目用視点とでレンダリングされてそれぞれ右目用画像と左目用画像とが生成される。スプライトデータを用いる場合には、視差分だけ左右方向にずらして描画される。
【０１６９】
このように、左目用画像と右目用画像とが交互に生成されて、左目用画像は左目用フレームバッファに、右目用画像は右目用フレームバッファに格納される。すなわち、Ｌ信号出力中にＧＤＰ１５６から送信されてきた左目用画像データを左目用フレームバッファに書き込み、Ｒ信号出力中にＧＤＰ１５６から送信されてきた右目用画像データを右目用フレームバッファに書き込む。そして、左目用フレームバッファに書き込まれた左目用画像データと、走査線一本毎に右目用フレームバッファに書き込まれた右目用画像データとを読み出して、立体視用フレームバッファに書き込む。
【０１７０】
ＣＰＵ１５１、ＧＤＰ１５６及び合成変換装置１７０が以上説明したように機能することによって、左目用画像と右目用画像とが生成され、その表示位置によって両眼視差が生じ、画像を三次元立体像として認識させるように表示制御することで表示位置制御手段が構成される。
【０１７１】
画像表示装置８内には液晶ドライバ（LCD DRV）１８１、バックライトドライバ（BL DRV）１８２が設けられている。液晶ドライバ１８１は、合成変換装置１７０から送られてきたＶ ＢＬＡＮＫ信号、Ｖ＿ＳＹＮＣ信号、Ｈ＿ＳＹＮＣ信号及びＲＧＢ信号に基づいて、液晶表示パネル８０４の電極に順次電圧をかけて、画像表示装置８に立体視用の合成画像を表示する。
【０１７２】
バックライトドライバ１８２は、ＧＤＰ１５６から出力されたＤＴＹ＿ＣＴＲ信号に基づいてバックライトに加わる電圧のデューティー比を変化させて、画像表示装置８の明るさを変化させる。
【０１７３】
すなわち、遊技制御装置１００は、遊技領域に打ち出された遊技球が始動口１６に入賞すると、所定の乱数（特別図柄乱数、大当たり乱数）を抽出し、記憶する。そして、遊技制御装置１００では、表示制御回路１５０に変動表示を指令する表示制御指令信号を編集して、該編集した表示制御指令信号を送信する。表示制御回路１５０のＣＰＵ１５１は、表示制御指令信号を受信すると、フォントＲＯＭ１５７（記憶手段）から該表示制御指令信号に対応する表示画像データを読み出して、ＧＤＰ１５６、合成変換装置１７０と協働して、画像表示装置８に表示する表示データを生成する。このように、遊技制御装置１００が機能することによって抽選手段及び遊技制御手段が構成される。また、表示制御回路１５０及び合成変換装置１７０が機能することによって演算手段が構成される。
【０１７４】
遊技制御装置１００からの演出制御指令信号を受信するインターフェース１５５の手前には、信号伝達方向規制手段であるバッファ回路１６０が設けられ、遊技制御装置１００から演出制御装置への信号入力のみが許容され、演出制御装置から遊技制御装置１００への信号出力を禁止している。なお、遊技制御装置１００と演出制御装置との間で双方向通信を行う場合には、バッファ回路１６０に双方向バッファを用いることもできる。
【０１７５】
ＬＥＤ３４は、このＬＥＤは三次元立体画像の表示中に点灯され、ＣＰＵ１５１によって制御されて、ドライバ１６１を介してＬＥＤ３４に電圧が印加されることによって点灯／消灯をする。すなわち、画像表示装置８に立体視可能な画像が表示されているときに、表示態様を変えて（例えば、点灯したり、発光色を変えたりする）、立体視可能な表示をしていることを遊技者に報知する。
【０１７６】
なお、ＬＥＤ３４の点灯によって、画像表示装置８の手前側に奥行き感を持たせる補助表示をすることによって、遊技者の立体視を補助するように構成することもできる。
【０１７７】
以上説明した実施の形態では、装飾制御装置２５０及び音制御装置３００と演出制御装置とを別個に設けたが、従属制御装置のうち、装飾制御装置２５０及び音制御装置３００を演出制御装置に含めて、装飾制御装置２５０、及び音制御装置３００を演出制御装置と一体に構成してもよい。
【０１７８】
すなわち、図２０及び図２１に示す実施の形態の遊技機では、複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を起生可能な遊技機において、前記画像表示装置に、特許請求の範囲の各請求項のいずれか一つに記載された画像表示装置を用いたことを特徴としている。
【０１７９】
本発明によると、遊技盤に正対して座った位置にある遊技中の遊技者（観察者）が画像を観察することはもちろん、遊技する遊技機を探す遊技客や遊技場の係員のような立った位置から遊技機を見下ろしている者にも、画像を観察可能となる。このことにより、遊技機を選択しようとする遊技客に対して表示内容をアピールすることができるようになり、遊技機の稼動向上に貢献することが期待できる。また、係員が画像表示装置８の表示内容を容易に確認することでき、中腰になって表示内容を確認する必要がなくなり、係員にかかる負担の軽減や作業時間の短縮に貢献する。
【０１８０】
今回開示した実施の形態は、全ての点で例示であって制限的なものではない。本発明の範囲は上記した発明の説明ではなくて特許請求の範囲によって示され、特許請求の範囲と均等の意味及び内容の範囲での全ての変更が含まれることが意図される。
【図面の簡単な説明】
【図１】本発明の実施の形態の画像表示装置の構成図である。
【図２】本発明の実施の形態の画像表示装置の駆動回路のブロック図である。
【図３】本発明の実施の形態の画像表示装置の微細位相差板の正面図である。
【図４】本発明の実施の形態の画像表示装置の光学系の平面図である。
【図５】本発明の実施の形態の画像表示装置から放射される光の経路の説明図である。
【図６】本発明の実施の形態の画像表示装置のディフューザの断面図である。
【図７】本発明の実施の形態の画像表示装置のディフューザの断面図である。
【図８】本発明の実施の形態の画像表示装置のディフューザの断面図である。
【図９】本発明の第２の実施の形態の画像表示装置の構成の一部を示す図である。
【図１０】本発明の第２の実施の形態の画像表示装置のディフューザの断面図である。
【図１１】本発明の第２の実施の形態の画像表示装置のディフューザの断面図である。
【図１２】本発明の第２の実施の形態の画像表示装置のディフューザの断面図である。
【図１３】本発明の第２の実施の形態の画像表示装置のディフューザの断面図である。
【図１４】本発明の第２の実施の形態の画像表示装置のディフューザの断面図である。
【図１５】本発明の第２の実施の形態の画像表示装置のディフューザの断面図である。
【図１６】本発明の第３の実施の形態の画像表示装置の光学系の平面図である。
【図１７】本発明の実施の形態の画像表示装置に供給される信号のタイミング図である。
【図１８】本発明の実施の形態の画像表示装置に表示される画像データの説明図である。
【図１９】本発明の実施の形態の画像表示装置に表示される別な画像データの説明図である。
【図２０】本発明の実施の形態の遊技機全体の構成を示す正面図である。
【図２１】本発明の実施の形態の遊技機の制御系のブロック図である。
【符号の説明】
１    遊技機
８    画像表示装置
１００    遊技制御装置
１５０    表示制御回路（演出制御装置）
８０１    光源
８１０    発光素子
８１１    偏光フィルタ
８１２    フレネルレンズ
８１３    反射板
８０２    微細位相差板
８０３    偏光板（第２偏光板）
８０４    液晶表示パネル
８０５    偏光板（第１偏光板）
８０６    ディフューザ
８０７    ディフューザ
８０８    透明板
【図１】
2004177923.tif 000003
【図２】
2004177923.tif 000004
【図３】
2004177923.tif 000005
【図４】
2004177923.tif 000006
【図５】
2004177923.tif 000007
【図６】
2004177923.tif 000008
【図７】
2004177923.tif 000009
【図８】
2004177923.tif 000010
【図９】
2004177923.tif 000011
【図１０】
2004177923.tif 000012
【図１１】
2004177923.tif 000013
【図１２】
2004177923.tif 000014
【図１３】
2004177923.tif 000015
【図１４】
2004177923.tif 000016
【図１５】
2004177923.tif 000017
【図１６】
2004177923.tif 000018
【図１７】
2004177923.tif 000019
【図１８】
2004177923.tif 000020
【図１９】
2004177923.tif 000021
【図２０】
2004177923.tif 000022
【図２１】
2004177923.tif 000023